(57)【特許請求の範囲】
【請求項１】
所定の高伝送レートで所定の高ビットレートデータを送受信するデジタル伝送装置において、該デジタル伝送装置の送信側に、複数系統の所定の低ビットレートデータをまとめ所定の高ビットレートのデータストリームとなるよう多重化する多重部と、該多重化されたデータストリームを所定の高伝送レートで送信する送信機を有し、上記デジタル伝送装置の受信側に、伝送された上記所定の高ビットレートのデータストリームを受信する受信機と、受信した上記所定の高ビットレートのデータストリームから対応する各系統の所定の低ビットレートデータを分離して出力する分離部を有し、
上記多重部に、上記複数系統の所定の低ビットレートデータをそれぞれ所定の速度ａで記憶しそれぞれのデータ系統の読み出し要求信号に応じてそれぞれ所定ストリーム長毎にそれぞれの系統を示すＩＤ情報を付加しそれぞれ所定の速度ｍで読み出す時間短縮部と、所定のダミーデータを該ダミー系統の読み出し要求信号に応じ所定ストリーム長毎に該系統を示すＩＤ情報を付加し上記所定の速度ｍで発生するダミーデータ発生部と、上記時間短縮部のデータ蓄え量に応じ上記各データ系統もしくはダミー系統のいずれかの読み出し要求信号を発生し読み出された上記各データ系統もしくはダミー系統のいずれかのデータを選択統合し上記所定の高ビットレートのデータストリームを作成する読み出し制御部を有し、上記分離部に、伝送された上記データストリームから上記ＩＤ情報を検出するＩＤ検出部と、当該検出されたＩＤ情報に基づき対応するデータ系統の書き込み指令信号を発生する書き込み制御部と、当該発生した書き込み指令信号に基づき伝送されたデータストリームから上記各系統のデータストリームを分離してそれぞれ上記所定の速度ｍで記憶し上記ＩＤ情報を除くストリーム部分を上記所定の速度ａで連続的に読み出す時間伸張部を有し、
上記複数系統の所定の低ビットレートデータを上記所定の高伝送レートのデジタル伝送装置により伝送することを特徴とするデジタル伝送装置。
【請求項２】
所定の高伝送レートの複数の送信機からそれぞれ送信される所定の高ビットレートデータを１つの受信機で受信するデジタル伝送装置において、該デジタル伝送装置の複数の送信機側に、それぞれ複数系統の所定の低ビットレートデータを所定の高ビットレートのデータストリームとなるよう多重化する複数の多重部を有し、上記デジタル伝送装置の受信機側に、上記複数の送信機のいずれかで多重化され伝送されたデータストリームから対応する上記送信機の各系統の所定の低ビットレートデータを分離して出力する分離部を有し、
上記それぞれの多重部に、上記複数系統の所定の低ビットレートデータをそれぞれ所定の速度ａで記憶しそれぞれのデータ系統の読み出し要求信号に応じてそれぞれ所定ストリーム長毎にそれぞれの系統を示すＩＤ情報を付加しそれぞれ所定の速度ｍで読み出す時間短縮部と、所定のダミーデータを該ダミー系統の読み出し要求信号に応じ所定ストリーム長毎に該系統を示すＩＤ情報を付加し上記所定の速度ｍで発生するダミーデータ発生部と、上記それぞれの送信機を示す識別コードを発生する識別コード発生部と、上記時間短縮部のデータ蓄え量に応じ上記各データ系統もしくはダミー系統のいずれかの読み出し要求信号を発生し読み出された上記各データ系統もしくはダミー系統のいずれかのデータを選択し上記送信機を示す識別コードを統合し上記所定の高ビットレートのデータストリームを作成する読み出し制御部を有し、上記分離部に、伝送された上記データストリームから上記ＩＤ情報を検出するＩＤ検出部と、当該検出されたＩＤ情報に基づき対応するデータ系統の書き込み指令信号を発生する書き込み制御部と、当該発生した書き込み指令信号に基づき伝送されたデータストリームから上記各系統のデータストリームを分離してそれぞれ上記所定の速度ｍで記憶し上記ＩＤ情報及び上記送信機を示す識別コードを除くストリーム部分を上記所定の速度ａで連続的に読み出す時間伸張部を有し、
上記複数系統の所定の低ビットレートデータを上記所定の高伝送レートのデジタル伝送装置により伝送することを特徴とするデジタル伝送装置。
【請求項３】
請求項２において、上記送信機を示す識別コードを上記データストリームの上記各データ系統あるいはダミー系統を示すＩＤ情報付加部分に割り付けることを特徴とするデジタル伝送装置。
【請求項４】
請求項２において、上記ダミーデータの一部を上記送信機を示す識別コードに置き換え、これをダミーデータとし、上記ダミー系統の読み出し要求信号に応じ所定ストリーム長毎に該ダミー系統を示すＩＤ情報を付加し、上記所定の速度ｍで発生するダミーデータ発生部としたことを特徴とするデジタル伝送装置。
【請求項５】
請求項２乃至４において上記分離部で、上記送信機を示す識別コードを分離し、この識別コード情報を表示装置に表示することを特徴とするデジタル伝送装置。
【発明の詳細な説明】
【０００１】
【発明の属する技術分野】
本発明は、ビットレートの異なる複数のデータをデジタル多重伝送する技術に関するものである。
【０００２】
【従来の技術】
昨今、デジタル信号処理により、映像、音声信号等をＭＰＥＧ−２方式によって圧縮し、デジタル変調／復調することで、劣化の少ない安定した映像等を伝送できる。
しかし、この場合、ＭＥＰＧの処理により、復号される映像等に遅延時間が生じるという欠点も生じる。
従来、マラソン等のロードレースの中継放送を行う場合、図８に示すように、移動中継車に搭載したＴＶカメラで撮像した映像信号(ａ号車映像、ｂ号車映像)を、小高い山の上等に設けた受信点(中継所)まで、例えば、８００ＭHz帯の直交周波数分割多重(Orthogonal Frequency Division Multiplexing：ＯＦＤＭ)変調方式を用いたＦＰＵ(Field Pick-up Unit：以下、８００Ｍ−ＦＰＵと称す)２０Ｔ，２０Ｒで第１段目の伝送をし、受信点からセンタ(放送局)までを、例えば、マイクロ波帯(７ＧＨｚ)のシングルキャリア６４値直交振幅変調(６４ＱＡＭ：64 Quadrature Amplitude Modulation）方式を用いたＦＰＵ(以下、７Ｇ−ＦＰＵと称す)２１Ｔ，２１Ｒで、第２段目の伝送をする形態をとることが多い。
ここで、１段目の８００Ｍ−ＦＰＵ２０Ｔ，２０Ｒは、比較的移動体伝送には強いが、低ビットレート(例えば、８Ｍｂｉｔ／ｓ)のデータ伝送となる。  また、２段目の７Ｇ−ＦＰＵ２１Ｔ，２１Ｒは、固定局間伝送に用いられ、高ビットレート(例えば、５９．６４８Ｍｂｉｔ／ｓ)のデジタルデータを伝送できる。
しかし、これらのＦＰＵは、異なるビットレートであるため、８Ｍｂｉｔ／ｓの８００Ｍ−ＦＰＵのデジタルデータは、直接、５９．６４８Ｍｂｉｔ／ｓの７Ｇ−ＦＰＵに、接続できない。
そのため、従来の伝送システムでは、図８に示すように、ＭＰＥＧエンコーダ１９で圧縮され、８００Ｍ−ＦＰＵ２０Ｔ，２０Ｒで送受信された８Ｍｂｉｔ／ｓの各移動中継車の映像信号を、受信点のＭＰＥＧコーデック２３でベースバンドの映像信号に伸張した後、再度、５９．６４８Ｍｂｉｔ／ｓのデータに圧縮し直すことで、７Ｇ−ＦＰＵ２１Ｔ，２１Ｒに接続する形態をとる。
また、ロードレース中継では、先頭集団、第２集団等を撮影するため、複数台の移動中継車が投入され、それぞれ撮影した複数系統の映像信号が伝送される。この内、ＯＮ−ＡＩＲされる映像は、１系統のみとなるが、常に複数系統の映像信号をセンタに送り、センタにいるディレクタが、ＯＮ−ＡＩＲに使用する映像信号を選択する。  すなわち、常に各移動中継車の映像信号をセンタに送る必要がある。  その結果、移動中継車分の回線を確保する必要があり、多くの周波数チャネルを占有することになる。
【０００３】
【発明が解決しようとする課題】
以上説明したように、従来のデジタル伝送構成において、異なる伝送レートのデジタル機器を複数段接続すると、ＭＰＥＧ−２の画像圧縮、伸張処理を複数回繰り返すことになり、放送局ユーザーが最も嫌う映像遅延が、０．３〜０．５秒程度ずつ、段数毎に延びてしまう。
また、折角、７Ｇ−ＦＰＵのような高レート伝送回線があっても、８００Ｍ−ＦＰＵの低レートのデジタルデータをベースバンド化してデータレート変更するため、結果的に、たった１本の低レートの信号が占有してしまうことになる。
本発明は、これらの欠点を除去し、異なる伝送レートの伝送装置を縦続接続してデータ伝送する場合、複数の低ビットレート信号をまとめて、所定の高ビットレート信号に変換することで、異なる伝送レートの伝送装置を直接接続でき、複数の回線を占有することなく、高ビットレート信号を伝送できるようにすることを目的とする。
【０００４】
【課題を解決するための手段】
本発明は上記目的を実現するため、所定の高伝送レートで所定の高ビットレートデータを送受信するデジタル伝送装置において、該デジタル伝送装置の送信側に、複数系統の所定の低ビットレートデータを所定の高ビットレートのデータストリームとなるよう多重化する多重部を有し、上記デジタル伝送装置の受信側に、伝送された上記所定の高ビットレートのデータストリームから対応する各系統の所定の低ビットレートデータを分離して出力する分離部を有し、上記複数系統の所定の低ビットレートデータを上記所定の高伝送レートのデジタル伝送装置により伝送するデジタル伝送装置である。
また、上記多重部に、上記複数系統の所定の低ビットレートデータをそれぞれ所定の速度ａで記憶しそれぞれのデータ系統の読み出し要求信号に応じてそれぞれ所定ストリーム長毎にそれぞれの系統を示すＩＤ情報を付加しそれぞれ所定の速度ｍで読み出す時間短縮部と、所定のダミーデータを該ダミー系統の読み出し要求信号に応じ所定ストリーム長毎に該系統を示すＩＤ情報を付加し上記所定の速度ｍで発生するダミーデータ発生部と、上記時間短縮部のデータ蓄え量に応じ上記各データ系統もしくはダミー系統のいずれかの読み出し要求信号を発生し読み出された上記各データ系統もしくはダミー系統のいずれかのデータを選択統合し上記所定の高ビットレートのデータストリームを作成する読み出し制御部を有し、上記分離部に、伝送された上記データストリームから上記ＩＤ情報を検出するＩＤ検出部と、当該検出されたＩＤ情報に基づき対応するデータ系統の書き込み指令信号を発生する書き込み制御部と、当該発生した書き込み指令信号に基づき伝送されたデータストリームから上記各系統のデータストリームを分離してそれぞれ上記所定の速度ｍで記憶し上記ＩＤ情報を除くストリーム部分を上記所定の速度ａで連続的に読み出す時間伸張部を有するものである。
さらに、所定の高伝送レートの複数の送信機からそれぞれ送信される所定の高ビットレートデータを１つの受信機で受信するデジタル伝送装置において、該デジタル伝送装置の複数の送信機側に、それぞれ複数系統の所定の低ビットレートデータを所定の高ビットレートのデータストリームとなるよう多重化する複数の多重部を有し、上記デジタル伝送装置の受信機側に、上記複数の送信機のいずれかで多重化され伝送されたデータストリームから対応する上記送信機の各系統の所定の低ビットレートデータを分離して出力する分離部を有し、上記複数系統の所定の低ビットレートデータを上記所定の高伝送レートのデジタル伝送装置により伝送するデジタル伝送装置である。
【０００５】
また、上記それぞれの多重部に、上記複数系統の所定の低ビットレートデータをそれぞれ所定の速度ａで記憶しそれぞれのデータ系統の読み出し要求信号に応じてそれぞれ所定ストリーム長毎にそれぞれの系統を示すＩＤ情報を付加しそれぞれ所定の速度ｍで読み出す時間短縮部と、所定のダミーデータを該ダミー系統の読み出し要求信号に応じ所定ストリーム長毎に該系統を示すＩＤ情報を付加し上記所定の速度ｍで発生するダミーデータ発生部と、上記それぞれの送信機を示す識別コードを発生する識別コード発生部と、上記時間短縮部のデータ蓄え量に応じ上記各データ系統もしくはダミー系統のいずれかの読み出し要求信号を発生し読み出された上記各データ系統もしくはダミー系統のいずれかのデータを選択し上記送信機を示す識別コードを統合し上記所定の高ビットレートのデータストリームを作成する読み出し制御部を有し、上記分離部に、伝送された上記データストリームから上記ＩＤ情報を検出するＩＤ検出部と、当該検出されたＩＤ情報に基づき対応するデータ系統の書き込み指令信号を発生する書き込み制御部と、当該発生した書き込み指令信号に基づき伝送されたデータストリームから上記各系統のデータストリームを分離してそれぞれ上記所定の速度ｍで記憶し上記ＩＤ情報及び上記送信機を示す識別コードを除くストリーム部分を上記所定の速度ａで連続的に読み出す時間伸張部を有するものである。
また、上記送信機を示す識別コードを上記データストリームの上記各データ系統あるいはダミー系統を示すＩＤ情報付加部分に割り付けるものである。
また、上記ダミーデータの一部を上記送信機を示す識別コードに置き換え、これをダミーデータとし、上記ダミー系統の読み出し要求信号に応じ所定ストリーム長毎に該ダミー系統を示すＩＤ情報を付加し、上記所定の速度ｍで発生するダミーデータ発生部としたものである。
さらに、上記送信機を示す識別コードを分離し、この識別コード情報を表示装置に表示するものである。
【０００６】
【発明の実施の形態】
本発明の多重伝送システムにおける一実施例の全体ブロック構成を図１に示し以下、詳細に説明する。  なお、本実施例では、２系統の映像信号を多重する場合についてのみ説明するが、本発明はこれに限定されるものではなく、映像、音声、制御信号等を含むデジタルデータの複数系統の多重伝送にも適用できる。
ここで、９ａ，９ｂは、移動中継車(ａ号車、ｂ号車)で撮影されたａ号車、ｂ号車映像信号を、それぞれ所定ビットレート(例えば８Ｍｂｉｔ／ｓ)に圧縮するＭＰＥＧエンコーダ。  １０Ｔａ，１０Ｔｂは、例えば、８Ｍｂｉｔ／ｓに圧縮されたデジタルデータを伝送できる８００ＭＨｚ帯のＯＦＤＭ方式ＦＰＵの送信機(以下、送信８００Ｍ−ＦＰＵと称す)。  １０Ｒａ，１０Ｒｂは、受信点にある、例えば８Ｍｂｉｔ／ｓのデジタルデータを受信できる８００ＭＨｚ帯のＯＦＤＭ方式ＦＰＵの受信機(以下、受信８００Ｍ−ＦＰＵと称す)。  １１Ｔは、例えばマイクロ波帯(７ＧＨｚ)の６４ＱＡＭ方式を用いた、高ビットレート(例えば、５９．６４８Ｍｂｉｔ／ｓ)のデータを伝送可能なＦＰＵ送信機(以下、送信７Ｇ−ＦＰＵと称す) 。  １は、受信したａ号車、ｂ号車の各映像トランスポートストリーム(ＴＳ)を多重し、送信７Ｇ−ＦＰＵ１１Ｔのビットレート(例えば、５９．６４８Ｍｂｉｔ／ｓ)に合わせた高ビットレート(例えば、５９．６４８Ｍｂｉｔ／ｓ)の伝送信号Ｄｍを出力する多重部。  １１Ｒは、例えばマイクロ波帯(７ＧＨｚ)の６４ＱＡＭ方式を用いた高ビットレート(例えば、５９．６４８Ｍｂｉｔ／ｓ)のデータを受信できるＦＰＵ受信機(以下、受信７Ｇ−ＦＰＵと称す) 。  ２は、受信した高ビットレートの伝送信号Ｄｍを、ａ号車、ｂ号車の各映像トランスポートストリーム(ＴＳ)に分離する分離部。  １２ａ，１２ｂは、分離された各ＴＳ信号を、それぞれ所定ビットレート(例えば、８Ｍｂｉｔ／ｓ)のデータにデコードするＭＰＥＧデコーダである。  ここで、図５の（ａ）に示すように、各映像トランスポートストリーム(ＴＳ)は、同期信号４７ｈとデータで２０４ワードを１周期とするストリーム形態である。
【０００７】
この動作は、移動中継車(ａ号車、ｂ号車)で撮影されたａ号車映像信号、ｂ号車映像信号は、ＭＰＥＧエンコーダ１９ａ，１９ｂで、それぞれ所定ビットレート(例えば、８Ｍｂｉｔ／ｓ)に圧縮され、ａ号車、ｂ号車の各映像トランスポートストリーム(ａ号車ＴＳ、ｂ号車ＴＳ)となり、送信８００Ｍ−ＦＰＵ１０Ｔａ、１０Ｔｂからそれぞれ送信され、受信点にある受信８００Ｍ−ＦＰＵ１０Ｒａ、１０Ｒｂで受信される。  ここで、受信されたａ号車、ｂ号車の各映像トランスポートストリーム(ＴＳ）は、多重部１において多重され、高ビットレート(例えば、５９．６４８Ｍｂｉｔ／ｓ）の伝送信号Ｄｍに変換される。  この高ビットレートの伝送信号Ｄｍは、送信７Ｇ−ＦＰＵ１１Ｔから、センタ(放送局)へ伝送される。
そして受信７Ｇ−ＦＰＵ１１Ｒで受信された高ビットレートの伝送信号Ｄｍｒは、分離部２において、ａ号車、ｂ号車のそれぞれの映像トランスポートストリーム(ａ号車ＴＳ、ｂ号車ＴＳ)に分離される。  このそれぞれのＴＳ信号は、ＭＰＥＧデコーダ１２ａ，１２ｂで、それぞれ所定ビットレート(例えば、８Ｍｂｉｔ／ｓ)のデータにデコードされる。
次に、図２に多重部１の詳細構成を、図４に多重部１の各部の動作タイムチャートを、図５の(ｂ)に各映像ＴＳの同期信号４７ｈの前に各系統(例えば、ａ)を示すＩＤワードを付加した２０５ワードを１単位とするデータストリームの形態を示し、以下、図２、図４、図５を用いて多重部１の動作を説明する。
多重部１は、Ｄｓ時間短縮部３ａ，３ｂ、ダミーデータ発生部４、読み出し制御部５、状態表示部１５で構成されている。  Ｄｓ時間短縮部３ａ，３ｂは、同期検出部３−１、メモリ制御部３−２、メモリ３−３、ＩＤ挿入部３−４で構成されている。
受信８００Ｍ−ＦＰＵ１０Ｒａから出力されるビットレートａのａ号車ＴＳ信号ａＴＳは、Ｄｓ時間短縮部３ａに蓄えられる。  同様に、ビットレートｂのｂ号車ＴＳ信号ｂＴＳは、Ｄｓ時間短縮部３ｂ蓄えられる。
【０００８】
ここで、時刻ｔ０１において、Ｄｓ時間短縮部３ａのメモリ３−３に蓄えられたデータ量を示す値ａΔが所定の値Ｋ(例えば、２(２つのＴＳデータ))を越え、読み出し可能な状態に達したら、時刻ｔ０２に、読み出し制御部５から読み出し制御パルスａｓｔをメモリ制御部３−２に送る。  パルスａｓｔを送られたＤｓ時間短縮部３ａは、 図５の(ａ)に示す２０４ワードのａ号車ＴＳ信号ａＴＳに、系統を区別するための情報ＩＤ１ワードを付加した、２０５ワードを出力レートＤｍにおけるＴＳ周期とするデータａＤｓ作成し、速度ｍで読み出す。
また、時刻ｔ０３において、Ｄｓ時間短縮部３ｂのメモリ３−３に蓄えられたデータ量を示す値ｂΔが所定の値Ｋ(例えば、２)を越え、読み出し可能な状態に達したら、時刻ｔ０４に、読み出し制御部５から、読み出し制御パルスｂｓｔをメモリ制御部３−２に送る。  パルスｂｓｔを送られたＤｓ時間短縮部３ｂは、２０４ワードのｂ号車ＴＳ信号ｂＴＳに、系統を区別するための情報ＩＤ１ワードを付加した、２０５ワードを出力レートＤｍにおけるＴＳ周期とするデータｂＤｓ作成し、速度ｍで読み出す。  ここで、ダミーデータ発生部４は、各系統のΔの値が２未満であるとき、読み出し制御部５からの読み出し制御パルスＧｓｔに従い、空データである情報ＩＤを１ワード付加した２０５ワードのダミーデータＧｓを出力する。
以上の動作により、ａＴＳ系統のデータａＤｓとｂＴＳ系統のデータｂＤｓを主体にし、データレートｍへの不足分をダミーデータＧｓで満たした伝送ストリームＤｍを作成する。
ここで、多重部１の状態表示部１５は、各系統における各メモリへの書き込み、読み出しパルスの発生数の相対差をＮＴＳＣ映像信号に変換して表示することで、ａＴＳ系統のデータａＤｓとｂＴＳ系統のデータｂＤｓの蓄積状態が把握できる。
【０００９】
次に、図３に分離部２の詳細構成を、図６に分離部２の各部の動作タイムチャートを示し、以下、図３、図６を用いて分離部２の動作を説明する。
分離部２は、ＩＤ検出部６、書き込み制御部７、Ｄｓ時間伸張部８ａ，８ｂ、状態表示部１６で構成されている。  Ｄｓ時間伸張部８ａ，８ｂは、メモリ制御部８−１、クロック(ＣＫ)発生部８−２、メモリ８−３で構成されている。
受信７Ｇ−ＦＰＵ１１Ｒで受信された伝送信号Ｄｍｒは、ＩＤ検出部６に入力され、ここでストリームＤｍｒ内の同期信号４７ｈが検出され、その直前に付加されているＩＤ情報を示すＩＤｆ信号を出力する。
書き込み制御部７は、このＩＤｆ信号に従い、伝送信号Ｄｍｒが、ａＴＳ系統のデータであれば、Ｄｓ時間伸張部８ａのメモリ制御部８−１に、書き込み制御パルスａ−ｄｔを、ｂＴＳ系統のデータであれば、Ｄｓ時間伸張部８ｂのメモリ制御部８−１に書き込み制御パルスｂ−ｄｔを、レート不足分に使用した不要なダミーデータＧｓであれば何も出力しない。
ここで、Ｄｓ時間伸張部８ａの動作を例にして説明する。  メモリ制御部８−１は、書き込み制御部７からのａ−ｄｔパルスに基づき、ＩＤ情報を除いたレートｍのデータストリームａＤｓが、メモリ８−３に書き込まれるよう制御する。
そして、メモリ制御部８−１は、時刻ｔ１１において、メモリ８−３に蓄積されたデータ量を示す値ａΔｒが所定の値Ｋ(例えば、２データ分)を越え、一定量が蓄えられたと判定すれば、時刻ｔ１２に、読み出し制御をＯＮとして、メモリ８−３からレートａによるデータ読み出しを開始し、連続状態のａ号車トランスポートストリームａＴＳｒを出力する。
Ｄｓ時間伸張部８ｂも同様の動作をし、時刻ｔ１３において、メモリ８−３に蓄積されたデータ量を示す値ｂΔｒが所定の値Ｋ(例えば、２データ分)を越え、一定量が蓄えられたと判定すれば、メモリ制御部８−１は、時刻ｔ１４に、読み出し制御をＯＮとして、メモリ８−３からレートｂによるデータ読み出しを開始し、連続状態のｂ号車トランスポートストリームｂＴＳｒを出力する。  ここで、伝送信号Ｄｍｒが、ダミーデータＧｓの場合は、何も出力されず、このデータは廃棄される。
以上の様に、Ｄｓ時間伸張部８ａ(８ｂ)のメモリ８−３には、間欠的に現れるレートｍで２０５ワードのデータａＤＳ(ｂＤＳ)の内、ＩＤ情報以外のデータが書き込まれる。  そして、メモリ制御部８−１は、レートｍによる書き込み開始回数と、レートａ(ｂ)による読み出し開始回数の差分ａΔｒ(ｂΔｒ)をＣＫ発生部８−２に出力する。  ＣＫ発生部８−２は、差分ａΔｒ(ｂΔｒ)が値１であれば、出力クロックａｃｋｒの周波数を保持し、値０であれば周波数を低下、値２以上であれば、周波数を上昇させる。
【００１０】
以上の動作により、入力したレートｍの伝送ストリームＤｍｒから、レートａのａ号車ＴＳｒとｂ号車ＴＳｒを分離、出力することができる。
ここで、分離部２の状態表示部１６は、各系統における各メモリへの書き込み、読み出しパルスの発生数の相対差をＮＴＳＣ映像信号に変換して表示することにより、ａＴＳ系統のデータａＤｓとｂＴＳ系統のデータｂＤｓの蓄積状態が把握できる。
なお、図７に示すように、本発明の図１の受信８００Ｍ−ＦＰＵ１０Ｒｂと、ＭＰＥＧデコーダ１２ｂを、それぞれ、高精細(ＨＤ)用ＭＰＥＧ  ＨＤエンコーダ１０Ｒｂ’、ＭＰＥＧ ＨＤデコーダ１２ｂ’に換えて、ＨＤＴＶ映像と、標準ＴＶ映像を多重して伝送するシステムとすることができる。
本実施例では、Ｄｓ時間短縮部、Ｄｓ時間伸張部のメモリに蓄えられたデータ量を示す値がＫ＝２として説明したが、この値に限定されるものではなく、メモリ容量の概ね５０％程度の値とするのが、データの過不足に対し余裕度を持てるため、望ましい。
また、ＩＤ情報を１ワード付加する例を示したが、多重する系統数が４以下と少なければ、図５の(ｂ)に示すように、同期用コード８ビットの２ビットを借用しても良く、この場合、伝送信号Ｄｍは、２０４ワード単位の繰り返しとなる。また、図２において、伝送信号Ｄｍのストリーム速度は、送信７Ｇ−ＦＰＵ１１Ｔから送られてくるクロックＣＫｍに従ったが、多重部１内で出力するようにしても良い。
【００１１】
次に、本発明の第２の実施例について説明するが、上記第１の実施例の様に、複数の送信局あるいは受信点(中継所)で、それぞれ複数のＴＳを多重して伝送する場合、図９のように、多重部１ａの他に多重部１ｃが同時に運用され、同時に複数の伝送信号(Ｄｍｒ１／Ｄｍｒ２)が送信されることが考えられる。  この様な多重伝送の場合、多重された伝送信号(Ｄｍｒ１／Ｄｍｒ２)を受信するセンタ(放送局)の分離部２では、受信した信号が、どちらの多重部(１ａまたは１ｃ)の信号なのか、即ち、送信ＦＰＵ１１Ｔａまたは送信ＦＰＵ１１Ｔｃからの信号なのか、識別ができないという問題が生じる。
そこで、本発明の第２の実施例では、図１０に示す様に、各々の多重部１’に、どの多重部あるいは送信局であるかを示す送信局識別コードを発生する送信局識別コード発生器１７を設けたものである。  この送信局識別コード発生器１７の出力(送信局識別コード)は、Ｄｓ時間短縮部３ａ，３ｂに入力され、後述の様に、各ストリーム内に組み込まれ、多重化された伝送信号Ｄｍとなる。
ここで、この送信局識別コードは、例えば、図１１に示すように、前述の伝送信号Ｄｍの各ＴＳ内の１ワード(８ビット)を、データ系統、ダミー系統のＴＳを識別するためのＩＤと送信局識別コードに割り付ける。
具体的には、データ系統、ダミー系統の識別ＩＤに上位４ビット、送信局識別コードに下位４ビットを割り付ける。  なお、この送信局識別コードは４ビットでは１６種類しか表せないため、例えば、データ系統ストリームａＤｓ／ｂＤｓにＣＯＤＥ１、ダミー系統ストリームＧｓにＣＯＤＥ２を割り付け、ＣＯＤＥ１とＣＯＤＥ２合わせて８ビットで送信局識別コードを表すことも可能である。  この場合、２５６種類の多重部あるいは送信局が識別可能となる。  この例では２つのストリームのＣＯＤＥ１、ＣＯＤＥ２合わせて８ビットとしたが、識別したい送信局の数が多い場合は、２以上のストリームに分散して割り付け伝送しても良い。
また、第２の実施例の分離部２’には、図１２に示す様に、送信局識別コード表示器１８を設けている。  これにより、書き込み制御部７で、受信した伝送信号Ｄｍｒから、上記送信局識別コードを検出し、対応するＣｏｄｅ−ｄｔパルスを送信局識別コード表示器１８に出力する。  そして、送信局識別コード表示器１８で、検出した送信局識別コードを表示することにより、現在、受信している信号が、どの多重部あるいは送信局からの信号なのかを、瞬時に識別することができる。
【００１２】
次に、本発明の第３の実施例を、図１３、図１４を用いて、詳細に説明する。第３の実施例は、図１３に示すように、多重部１’に、送信局識別コード発生器１７’を設けたものである。  この送信局識別コード発生器１７’の出力(送信局識別コード)は、ダミーデータ発生部４に入力され、後述の様に、ダミー系統Ｇｓストリームの一部分に送信局識別コードが組み込まれ、多重化された伝送信号Ｄｍとなる。
ここで、この送信局識別コードは、例えば、図１４に示すように、ダミー系統Ｇｓのダミーデータ区間の一部分を送信局識別コードに割り付ける。
具体的には、ダミー系統Ｇｓ内のＩＤ、４７ｈコードに続いて、送信局識別に必要なビット数を、送信局識別コードとして割り付ける。  この例では、送信局識別コードの位置が識別し易いように、４７ｈコードに続いて送信局識別コードを挿入したが、ダミーデータ区間であればどこに挿入しても良い。
次に、本発明の第４の実施例を、図１５、図１６を用いて、詳細に説明する。第４の実施例は、図１５に示すように、多重部１’に、送信局識別コード発生器１７”を設けたものである。  この送信局識別コード発生器１７”の出力(送信局識別コード)は、読み出し制御部５に入力され、後述の様に、伝送ストリーム内に組み込まれ、多重化された伝送信号Ｄｍとなる。
ここで、この送信局識別コードは、例えば、図１６に示す様に、データ系統、ダミー系統ＴＳの他に、送信局識別コード系統のＴＳを設け、ダミー系統ＴＳを送出する代わりに、この送信局識別コード系統ＴＳを送出する。
具体的には、例えば、図１６に示すように、送信局識別コード系統のＴＳは、データ系統、ダミー系統ＴＳと同様、２０５ワード(Ｗ)のＴＳの先頭部を、ＩＤ、４７ｈコードとし、続いて送信局識別コード(２０３Ｗ)が割り付けられる。
ここで、送信局識別コード系統のＩＤは、データ系統、ダミー系統のＴＳと識別可能なユニークな値とする。
【００１３】
【発明の効果】
以上説明したように本発明によれば、異なる伝送レートのデジタル機器を複数段接続してデータ伝送する場合、複数の低ビットレート信号をまとめて、所定の高ビットレート信号に変換することで、異なる伝送レートの機器を直接接続でき、複数の回線を占有することなく、高ビットレート信号を伝送する伝送システムを実現することができる。
また、多重部(送信局)の内部で送信局識別コードを生成し送信するので、どの多重部(送信局)から送信された信号を受信しているかを、分離部だけで識別することができ、２局以上の多重部(送信局)からストリームが送信され、いずれかの１局のストリームを受信した場合でも、多重部(送信局)の識別が可能な伝送システムを実現することができる。
【図面の簡単な説明】
【図１】本発明のデジタル多重伝送装置の全体構成の一実施例を示すブロック図
【図２】本発明の多重部の一実施例の構成を示すブロック図
【図３】本発明の分離部の一実施例の構成を示すブロック図
【図４】本発明の多重部の動作を示すタイムチャート
【図５】本発明の伝送信号の信号形態を示す模式図
【図６】本発明の分離部における信号形態を示す模式図
【図７】本発明のデジタル多重伝送装置の全体構成の他の実施例を示すブロック図
【図８】従来の多重部と分離部と組み合わせた伝送装置の一例を示すブロック図
【図９】複数の多重部から複数ＴＳが伝送されるシステム構成を説明するブロック図
【図１０】本発明の多重部の第２の実施例の構成を示すブロック図
【図１１】本発明の第２の実施例における伝送信号の信号形態を示す模式図
【図１２】本発明の分離部の第２の実施例の構成を示すブロック図
【図１３】本発明の多重部の第３の実施例の構成を示すブロック図
【図１４】本発明の第３の実施例における伝送信号の信号形態を示す模式図
【図１５】本発明の多重部の第４の実施例の構成を示すブロック図
【図１６】本発明の第４の実施例における伝送信号の信号形態を示す模式図
【符号の説明】
１，１’：多重部、２，２’：分離部、３ａ，３ｂ：Ｄｓ時間短縮部、４：ダミーデータ発生部、５：読み出し制御部、６：ＩＤ検出部、７：書き込み制御部、８ａ，８ｂ：Ｄｓ時間伸張部、３−１：同期ワード検出部、３−２，８−１：メモリ制御部、３−３，８−３：メモリ、３−４：ＩＤ挿入部、８−２：ＣＫ発生部、１７，１７’：送信局識別コード発生器、１８：送信局識別コード表示器。
【図１】
0004267216.tif 000002
【図２】
0004267216.tif 000003
【図３】
0004267216.tif 000004
【図４】
0004267216.tif 000005
【図５】
0004267216.tif 000006
【図６】
0004267216.tif 000007
【図７】
0004267216.tif 000008
【図８】
0004267216.tif 000009
【図９】
0004267216.tif 000010
【図１０】
0004267216.tif 000011
【図１１】
0004267216.tif 000012
【図１２】
0004267216.tif 000013
【図１３】
0004267216.tif 000014
【図１４】
0004267216.tif 000015
【図１５】
0004267216.tif 000016
【図１６】
0004267216.tif 000017